(57)【要約】  パネル（１７）の介在によって封止テープ（１４）の加熱と伸長を行うように動作する、封止テープ（１４）で含有区画を封止するためにテープを予備加熱する装置（１０）。【選択図】図５
2014528389.tif 000002
【特許請求の範囲】
【請求項１】
加熱された金属ローラー又は封止ローラー（１５）と例えばローラーのような延伸及び／又はコントラスト手段（１１）の間の封止領域において封止テープ（１４）によって含有区画を封止するために用いるのに適したテープ（１２）の予備加熱装置であって、
前記封止ローラー（１５）によって封止される前記封止テープ（１４）の前記封止領域の近傍に設けられるのに適した加熱される及び／又は加熱するパネル（１７）を備え、
前記パネル（１７）が少なくとも前記封止テープ（１４）に熱エネルギーを供給するのに適しており、前記封止テープ（１４）のための熱交換面として作用する摺動面（２３）を有し、
前記摺動面（２３）が前記摺動面（２３）の中心線に対して一方の側と他方の側から集まるように設けられた分岐手段（２４）を有し、
前記分岐手段（２４）が前記封止テープ（１４）の送り方向を横断する方向に作用可能であることを特徴とする予備加熱装置。
【請求項２】
前記分岐手段（２４）が杉綾模様で構成されていることを特徴とする請求項１に記載の予備加熱装置。
【請求項３】
前記分岐手段（２４）が前記摺動面（２３）に対して突出した浮き彫り形状を備えていることを特徴とする請求項１又は２に記載の予備加熱装置。
【請求項４】
前記分岐手段（２４）が平坦な支持面を有していることを特徴とする請求項１ないし３のいずれか1項に記載の予備加熱装置。
【請求項５】
前記分岐手段（２４）が尖頭タイプの展開部を有していることを特徴とする請求項１ないし３のいずれか1項に記載の予備加熱装置。
【請求項６】
前記パネル（１７）と前記封止ローラー（１５）が固定の相互位置関係を有していることを特徴とする請求項１ないし５のいずれか１項に記載の予備加熱装置。
【請求項７】
前記パネル（１７）がその内側に加熱素子（１８）を有していることを特徴とする請求項１ないし６のいずれか１項に記載の予備加熱装置。
【請求項８】
前記パネル（１７）が、その内側部分と協調して、前記パネル（１７）上を摺動する前記封止テープ（１４）の表面と協調する少なくとも１つの空気吸入管（２０）と少なくとも１つの吐出チャネル（２１）を有していることを特徴とする請求項１ないし７のいずれか１項に記載の予備加熱装置。
【請求項９】
前記吐出チャネル（２１）が拡張手段（２２）を有していることを特徴とする請求項８に記載の予備加熱装置。
【請求項１０】
前記パネル（１７）が熱伝達材料で形成されていることを特徴とする請求項１ないし９のいずれか１項に記載の予備加熱装置。
【請求項１１】
前記パネル（１７）が金属材料で形成されていることを特徴とする請求項１ないし１０のいずれか１項に記載の予備加熱装置。
【請求項１２】
前記パネル（１７）又はその摺動面（２３）がセラミック材料又はそれと同等の材料で形成されていることを特徴とする請求項１ないし１０のいずれか１項に記載の予備加熱装置。
【請求項１３】
封止装置に用いることのできる封止テープ（１４）の予備加熱装置のための加熱パネルであって、
少なくとも前記封止テープ（１４）に熱エネルギーを供給するのに適し、熱交換面として作用する前記封止テープ（１４）に対する摺動面（２３）を有し、そして
前記摺動面（２３）が前記摺動面（２３）の中心線に対して一方の側と他方の側から集まるように設けられた分岐手段（２４）を有し、
前記分岐手段（２４）が前記封止テープ（１４）の送り方向を横断する方向に作用可能であることを特徴とする加熱パネル。
【請求項１４】
加熱された金属ローラー又は封止ローラー（１５）と例えばローラーのような延伸及び／又はコントラスト手段（１１）の間の封止領域において封止が行われる、含有区画に封止テープ（１４）を貼り付けるための方法であって、
前記封止領域の近傍で、少なくとも封止テープ（１４）が所望の温度になるのに適した熱の寄与を受け、
前記寄与がパネル（１７）によって得られ、
前記熱の寄与が、前記封止テープ（１４）の横方向分岐又は緊張作用と関連していることを特徴とする方法。
【請求項１５】
封止ローラー（１５）の位置決めをすることで、自動的に前記パネル（１７）の位置が決まることを特徴とする請求項１４に記載の方法。
【発明の詳細な説明】
【技術分野】
【０００１】
本発明は封止すべき含有部材と接続された封止テープを予備加熱するための予備加熱手段に関する。また、本発明は接続方法にも関する。
【背景技術】
【０００２】
ブリスターや他の類似のブリスタータイプの製品を製造する技術では、その中身と共にブリスターの区画を外部環境から隔離するために、封止テープを連続的に貼り付ける方法が知られている。この技術は、固形物と液状物の両方に適した異なる種類の含有部材を封止するためにももちいられる。その中でも、例えばビタミンのような薬品や補助食品の容器や、食料のための容器がある。
【発明の概要】
【発明が解決しようとする課題】
【０００３】
この技術では、加熱された金属製の加圧ローラーが封止テープを他のローラー、例えばブリスターのあるテープの延伸ローラーと接触する前に加熱する。封止テープ及び／又はその上に存在する接着剤層を正しい温度まで持っていくように、封止テープは加熱される必要がある。このような温度は、安定した封止状態を保証し、延伸又は収縮ローラーと加圧ローラーの間での加圧工程に続く。テープの一定の送り速度までは、加圧ローラーが正確な量の熱エネルギーを伝えることができて、所望の効果を得ることが知られている。
【０００４】
１つの短所は、テープの送り速度の増加と加圧ローラーの表面温度の関係に関する。生産性の向上を目的として、より高い送り速度を使用するために、加圧ローラーの表面温度をさらに上昇させることは不可能であることが知られている。これによって、封止テープと封止自体の両方に問題が生じる。
【０００５】
米国特許出願公開第Ａ−４３１０３６５号から、加熱パネルが関係するゴム表面を備えた加圧ローラーが知られている。このパネルはローラーと導電プレートを覆う絶縁テープとそして導電プレート自体を覆うゴムの表面部分を加熱する機能を有している。また、絶縁テープを加熱することによって、このパネルは絶縁テープが絶縁すべき層の波型表面へ形態学的に適合することを可能にする。換言すれば、パネルの作用は導電プレートの横方向への移動を許容せず、所望の幾何学的相互位置関係を維持させる。幾何学的相互位置関係は、多チャンネルテープの正確な挙動のために必須である。その構成によって、このシステムの動作方法と目的は、本発明の目的に対して有効ではない。
【０００６】
封止ローラーと協調する、封止ローラーの正面に位置するが封止ローラーから自律した加熱パネルを設けることが知られている。この既知の技術は、メンテナンス作業のための休止時間と同様に、封止テープが正確に適切な位置に留まることを保証しない。
【０００７】
出願人は、このように、一般的に封止装置に採用される高速生産においてさえ、安全で連続的な封止を得るための装置および方法を研究し、作成するべき位置に自分自身を見出した。
【０００８】
出願人は、考案試験し、従来技術の欠点を克服し、これらおよび他の目的および利点を得るために、本発明を具体化している。
【課題を解決するための手段】
【０００９】
本発明は独立請求項において説明され特徴付けられるが、従属請求項は本発明の他の特徴又は主たる創意の変形を記載する。
【００１０】
上記目的によれば、本発明に係るテープ予備加熱装置は、封止すべきテープ及びリールから来て封止ローラーで加熱される封止テープと協調する加熱された金属製加圧ローラー又は封止ローラーで構成される。封止すべきテープと封止テープの結合によって、封止された製品が得られる。
【００１１】
本発明によれば、封止テープを加熱するために、加熱された及び／又は加熱する、パネル又はプレートが封止ローラーと直接関連している。パネルは加圧ローラーとコントラストローラー間の連携点又は領域に可能な限り最近接点で、封止ローラーによる封止テープの封止領域に非常に近い位置に設けられる。
【００１２】
本発明の第一実施例によれば、封止ローラーの角度位置がどうであろうと、加熱された及び／又は加熱するパネルと封止ローラー間の相互位置を固定したまま維持する。
【００１３】
本発明の第一実施例によれば、これは、封止領域のできるだけ近くに挿入することができるような形状および長さを有する。
【００１４】
本発明の１つの実施形態によれば、パネルは、熱交換面として作用する封止テープのための摺動面を有している。
【００１５】
本発明の実施例の１形態では、パネルの摺動面は封止テープの送り方向を横切る方向に、分岐又は緊張機能を有する手段又は要素を有する。分岐手段は、パネルの摺動面の中心線に対して一方の側と他方の側から集まるように設けられている。これらの要素は、封止テープの緊張を維持しながら、封止に欠陥を生じさせるような、封止テープの長手方向に不規則で不均一な挙動が発生するのを抑制するように働く。
【００１６】
パネルのさらなる実施形態によれば、これはその内側に加熱要素を有し、この要素は例えばその内側に挿入可能な電気抵抗である。
【００１７】
上述の解決策と一緒に使用することができる変形例によれば、縮小寸法のチャネルが、少なくとも吸入管によってパネルに導入される空気を放出するように、パネルに形成されている。この空気は必要に応じて所望の温度又は環境温度に加熱することができる。チャネルはパネルの表面で終端している。チャネルは出口において広がることができて、封止テープと封止されるテープへの圧力分配を改善して、望ましくない不規則な輪郭の形成を抑制する。
【００１８】
本発明によれば、パネルは、加熱された金属製の加圧ローラーによって後に供給される温度上昇と関連する、完全かつ安定した封止を確保する温度まで封止テープの温度を持っていく必要がある。
【００１９】
変形例によれば、パネルが加圧ローラーの温度に達するのに必要な熱量を封止テープに伝達する。この場合、封止の機能は、加熱された金属製加圧ローラーに主に依存する。
【００２０】
本発明はまた、封止テープを含有区画に貼り付ける方法に関し、そこで封止は加熱された金属製ローラー又は封止ローラーと延伸及び／又はコントラスト手段例えばローラーとの間の封止領域で行われる。
【００２１】
本発明の方法によれば、封止領域の近傍で、少なくとも封止テープは所望の温度に上昇するのに適した熱の寄与を受け取り、この寄与はパネルによって得られ、この熱の寄与は封止テープの横方向分岐又は緊張作用と関連している。
【００２２】
本発明のこれら及び他の特徴は、添付図面を参照した非限定的な例として与えられた実施例の選択的形態の以下の説明から明らかになるであろう。
【図面の簡単な説明】
【００２３】
【図１】図１は金属製加熱された加圧ローラー又は封止ローラーがコントラスト及び／又は延伸ローラーに隣接した動作状態における本発明に係る予備加熱装置が適用された通常の封止テープ貼り付けシステムを示す図である。
【図２】図２は金属製加熱された加圧ローラー又は封止ローラーがコントラスト及び／又は延伸ローラーから切り離された、図１の例の非動作状態を示す図である。
【図３】図３は本発明の装置のパネルの１実施形態の拡大断面詳細図であり、図３ａ、３ｂ、３ｃ、３ｄ、３ｅ、３ｆは図３のパネルの空気出口チャネルの可能な広がり例を示す。
【図４】図４は分岐要素の１つの可能な実施形態を備えた本発明の装置のパネルを示す図である。
【図５】図５は本発明の装置の三次元図である。
【発明を実施するための形態】
【００２４】
図１を参照して、テープに、この場合ブリスターを備えた封止テープに予備加熱を加える装置１０を示す。
【００２５】
本発明によれば、装置１０はブリスターを備えたテープ１２と連携して働く。この場合、装置１０は加圧機能も有する加熱された及び／又は加熱する金属製ローラー又は封止ローラー１５と、テープ１２と関連したコントラスト圧延ローラー１１で構成されている。封止されるテープ１２とリール１３からほどかれた封止テープ１４は、ローラー１１とローラー１５の協調点、協調領域、又は協調ラインで合流する。この協調点、協調領域、又は協調ラインは、封止領域に対応している。
【００２６】
封止は、封止テープ１４の正確な温度に関連した、封止ローラー１５による加圧と加熱の２つの動作の結果として生じる。封止テープ１４の通常の送り方向に対する封止領域の直前部分、即ち上流には、加熱された及び／又は加熱するパネル又はプレート１７が設けられて、封止テープ１４の温度を上昇できるようになっている。
【００２７】
既知の手段によって通常封止テープ１４が緊張状態を維持しながら、封止ローラー１５は移動アーム１６によって動かされ位置付けられる。
【００２８】
特に、図１では、装置１０は動作状態にあり、封止ローラー１５は延伸ローラー１１に隣接して封止のために連携する。
【００２９】
図２を参照して、このシステムの可能な非動作状態を示し、そこでは封止ローラー１５は図１の延伸ローラー１１に隣接した封止位置から移動アーム１６によって動かされている。
【００３０】
注目すべきは、移動アーム１６と連携したサポート２６のおかげで、パネル１７と封止ローラー１５の間の相互位置関係は、どんな場合も一定を維持しており、即ち固定されている。
【００３１】
この場合には、サポート２６が移動アーム１６の一端で固定されており、従って図示例では、パネル１７がサポート２６に固定され、封止ローラー１５が移動アーム１６に拘束されている。
【００３２】
図３を参照して、パネル１７を示す。本発明によれば、パネル１７は熱交換面として作用する封止テープ１４のための摺動面２３を有している。
【００３３】
本発明によれば、摺動面２３は分岐又は緊張手段又は要素２４（図４）を備えている。
【００３４】
図４を参照して、パネル１７は摺動面２３に設けられた前述の分岐又は緊張手段又は要素２４を備えて、特に封止テープ１４の横方向の緊張を維持するように構成されている。
【００３５】
幾つかの実施形態では、分岐要素２４は摺動面２３の中心線に対して一方の側と他方の側に対称的に設けられた少なくとも２つのグループからなる。
【００３６】
また、分岐要素２４は傾斜して中心線に向かって集まるように設けられ、それに対応して分岐要素２４の端部は互いに略隣接している（図４、図５）。図４と図５を参照して、分岐要素２４は例えば上向きに集まるように設けられている。例えば、分岐要素２４は杉綾模様で構成されている。
【００３７】
特に、分岐要素２４は封止テープ１４をその送り方向と垂直な方向に緊張させて、急激な熱の上昇によるしわやひだの発生を回避している。
【００３８】
有利なように摺動面２３に対して浮き彫りのプロファイル又は突起として構成された分岐要素２４は、封止テープ１４の特性及び／又はその送り速度に応じて、封止テープ１４の送り軸に対して異なる角度を有することができる。分岐要素２４は、平坦な支持面２５（図５）を有するか、又は成形頂上部のみを有することができる。分岐要素２４は、例えば曲線又は尖点のような、一定の又は可変の展開部を有することもできる。
【００３９】
分岐要素２４を設けることによって、本発明の幾つかの実施形態では、横方向の安定性を得るために封止テープ１４に十分な張力を加え、パネル１７に対して十分な圧力を加えて、それによって十分な熱伝達を達成し、上述のように望ましくないしわやひだの形成を抑制しながら、ブリスターを備えたテープ１２や封止テープ１４のローラー１１、１５に接する方向での高速送りを達成することを許容する。
【００４０】
この特定の場合では、パネル１７は加熱素子１８と吸入管２０によって導入された空気の吐出チャネル２１も備えている。吐出チャネル２１はパネル１７の摺動面２３に達している。空気は所望の温度を有することができる。また、空気は加熱素子１８と協調することができる。もし加熱された空気の存在又は加熱された空気と自身の加熱素子で加熱されたパネルの共存があれば、封止ローラー１５の表面温度を下げることができる。有利なことに、出口領域において吐出チャネル２１は、排出する空気の分布を向上させるために、裾広がり形状部（flarings）２２を有している。裾広がり形状部２２はそれぞれの吐出チャネル２１の下流に延在して、封止テープ１４に付随することができる。図３ａから３ｆに、裾広がり形状部２２の可能な実施例を示す。例えば図３ｆでは、吐出チャネル２１は封止テープ１４の分岐に寄与している。
【００４１】
有利にはパネル１７は金属で構成されているが、例えばセラミック又は同等のような他の材料で構成することができ、又はセラミック材料等で覆われた金属、金属で覆われたセラミックなどで構成することもできる。
【００４２】
図５に対応するサポート２６に取り付けられた封止ローラー１５（便宜上破線で示す）を間に挟んだ２つの間隔をあけた移動アーム１６からなる装置１０の実施例を示す。延伸ローラー１１（これも便宜上破線で示す）が封止ローラー１５に対して協調する位置に設けられて、リール１３から送られる封止テープ１４（図５に破線で示す）と図示しないテープ１２とに対して封止ローラー１５と協調して作用するようになっている。この場合２つのサポート２６に取り付けられている本発明に係るパネル１７は、封止ローラー１５の外側で、封止ローラー１５と延伸ローラー１１の間に設けられている。
【００４３】
本発明の分野と範囲から逸脱することなく、予備加熱装置と対応する方法の変形、及び／又は、部品及び／又は工程の付加ができることは明らかである。
【００４４】
本発明を幾つかの特定の実施例を参照しながら記載してきたが、請求項に記載された特徴とそれによって保護される分野から由来するものを用いて、当業者が予備加熱装置とそれに対応する方法の多くの他の等価な形態を達成できることも明らかである。
【図１】
2014528389.tif 000003
【図２】
2014528389.tif 000004
【図３】
2014528389.tif 000005
【図３ａ】
2014528389.tif 000006
【図３ｂ】
2014528389.tif 000007
【図３ｃ】
2014528389.tif 000008
【図３ｄ】
2014528389.tif 000009
【図３ｅ】
2014528389.tif 000010
【図３ｆ】
2014528389.tif 000011
【図４】
2014528389.tif 000012
【図５】
2014528389.tif 000013
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
加熱された金属ローラー又は封止ローラー（１５）と例えばローラーのような延伸及び／又はコントラスト手段（１１）の間の封止領域において封止テープ（１４）によって含有区画を封止するために用いるのに適したテープ（１２）の予備加熱装置であって、
前記封止ローラー（１５）によって封止される前記封止テープ（１４）の前記封止領域の近傍に設けられるのに適した加熱される及び／又は加熱するパネル（１７）を備え、
前記パネル（１７）が少なくとも前記封止テープ（１４）に熱エネルギーを供給するのに適しており、前記封止テープ（１４）のための熱交換面として作用する摺動面（２３）を有し、
前記摺動面（２３）が前記摺動面（２３）の中心線に対して一方の側と他方の側から集まるように設けられた分岐手段（２４）を有し、
前記分岐手段（２４）が前記封止テープ（１４）の送り方向を横断する方向に作用可能であって、前記摺動面（２３）に対して突出した浮き彫り形状を備えていることを特徴とする予備加熱装置。
【請求項２】
前記分岐手段（２４）が杉綾模様で構成されていることを特徴とする請求項１に記載の予備加熱装置。
【請求項３】
前記分岐手段（２４）が平坦な支持面を有していることを特徴とする請求項１又は２に記載の予備加熱装置。
【請求項４】
前記分岐手段（２４）が尖頭タイプの展開部を有していることを特徴とする請求項１又は２に記載の予備加熱装置。
【請求項５】
前記分岐手段（２４）が、前記摺動面（２３）の中心線に対して一方の側と他方の側に対称的に設けられた前記分岐手段（２４）の少なくとも２つのグループで構成されていることを特徴とする請求項１ないし４のいずれか１項に記載の予備加熱装置。
【請求項６】
前記分岐手段（２４）が、上向きに収束するように設けられていることを特徴とする請求項１ないし５のいずれか１項に記載の予備加熱装置。
【請求項７】
前記封止ローラー（１５）を移動し位置付けるように構成された移動アーム（１６）をさらに備えていることを特徴とする請求項１ないし６のいずれか１項に記載の予備加熱装置。
【請求項８】
前記パネル（１７）と前記封止ローラー（１５）が固定の相互位置関係を有していることを特徴とする請求項１ないし５のいずれか１項に記載の予備加熱装置。
【請求項９】
前記パネル（１７）と前記封止ローラー（１５）の前記固定の相互位置関係を画定するように構成された前記移動アーム（１６）に連携したサポート（２６）が設けられていることを特徴とする請求項７又は８に記載の予備加熱装置。
【請求項１０】
前記サポート（１６）が、前記移動アーム（１６）の一端で固定されていることを特徴とする請求項９に記載の予備加熱装置。
【請求項１１】
前記パネル（１７）が前記サポート（１６）に固定され、前記封止ローラー（１５）が前記移動アーム（１６）に拘束されていることを特徴とする請求項９又は１０に記載の予備加熱装置。
【請求項１２】
前記パネル（１７）がその内側に加熱素子（１８）を有していることを特徴とする請求項１ないし１１のいずれか１項に記載の予備加熱装置。
【請求項１３】
前記パネル（１７）が、その内側部分と協調して、前記パネル（１７）上を摺動する前記封止テープ（１４）の表面と協調する少なくとも１つの空気吸入管（２０）と少なくとも１つの吐出チャネル（２１）を有していることを特徴とする請求項１ないし１２のいずれか１項に記載の予備加熱装置。
【請求項１４】
前記吐出チャネル（２１）が拡張手段（２２）を有していることを特徴とする請求項１３に記載の予備加熱装置。
【請求項１５】
前記パネル（１７）が熱伝達材料で形成されていることを特徴とする請求項１ないし１４のいずれか１項に記載の予備加熱装置。
【請求項１６】
前記パネル（１７）が金属材料で形成されていることを特徴とする請求項１ないし１５のいずれか１項に記載の予備加熱装置。
【請求項１７】
前記パネル（１７）又はその摺動面（２３）がセラミック材料又はそれと同等の材料で形成されていることを特徴とする請求項１ないし１５のいずれか１項に記載の予備加熱装置。
【請求項１８】
封止装置に用いることのできる封止テープ（１４）の予備加熱装置のための加熱パネルであって、
少なくとも前記封止テープ（１４）に熱エネルギーを供給するのに適し、熱交換面として作用する前記封止テープ（１４）に対する摺動面（２３）を有し、そして
前記摺動面（２３）が前記摺動面（２３）の中心線に対して一方の側と他方の側から集まるように設けられた分岐手段（２４）を有し、
前記分岐手段（２４）が前記封止テープ（１４）の送り方向を横断する方向に作用可能であって、前記摺動面（２３）に対して突出した浮き彫り形状を備えていることを特徴とする加熱パネル。
【請求項１９】
加熱された金属ローラー又は封止ローラー（１５）と例えばローラーのような延伸及び／又はコントラスト手段（１１）の間の封止領域において封止が行われる、含有区画に封止テープ（１４）を貼り付けるための方法であって、
前記封止領域の近傍で、少なくとも封止テープ（１４）が所望の温度になるのに適した熱の寄与を受け、
前記寄与がパネル（１７）によって得られ、
前記熱の寄与が、前記封止テープ（１４）の横方向分岐又は緊張作用と関連していることを特徴とする方法。
【請求項２０】
封止ローラー（１５）の位置決めをすることで、自動的に前記パネル（１７）の位置が決まることを特徴とする請求項１９に記載の方法。
【国際調査報告】
2014528389.tif 000014
2014528389.tif 000015